(57)【特許請求の範囲】
【請求項１】
インナ部材とアウタ部材とを重ね合わせて形成された閉断面を有し、車両のドア開口の下枠をなすサイドシルの補強構造であって、
車両外側に突出するハット型の断面を有し、両端のフランジ部を前記インナ部材と前記アウタ部材との間に挟装されて前記閉断面の内部に配置されたリンフォース部材と、
前記ハット型の断面における側面及び底面に固定されて前記リンフォース部材を補強するサポート部材とを備え、
前記サポート部材が、前記底面に固定され、前記底面の延長面に沿って前記側面よりも車両外側まで延設された下面部を有し、
前記下面部と前記底面との重合幅は、前記底面の車幅方向寸法の半分以上であり、
前記下面部は、車幅方向に延設されたリブを有し、
前記リブは、前記下面部の車内側端辺まで延びる
ことを特徴とする、サイドシル補強構造。
【請求項２】
前記サポート部材が、前記車両のピラーと前記サイドシルとの接合箇所を避けた位置に配置される
ことを特徴とする、請求項１に記載のサイドシル補強構造。
【請求項３】
前記サポート部材が、車両外側ほど上下寸法が狭まる台形状の閉断面を、前記側面との間に形成する
ことを特徴とする、請求項１又は２に記載のサイドシル補強構造。
【請求項４】
前記側面が、前後方向に延設された第二リブを有する
ことを特徴とする、請求項１〜３の何れか１項に記載のサイドシル補強構造。
【発明の詳細な説明】
【技術分野】
【０００１】
本発明は、車両のドア開口の下枠をなすサイドシルの補強構造に関する。
【背景技術】
【０００２】
従来、車両側面に設けられたドア開口の下枠部分には、サイドシルと呼ばれる中空筒状の骨格構造が配設されている。このサイドシルは、例えばハット型断面のインナ部材（インナパネル）とアウタ部材（アウタパネル）とを重ね合わせて閉断面形状に形成され、車室床面の左右両端辺に沿って前後方向に延設される。また、サイドシルの内部にリンフォース部材（サイドシルリンフォース）を取り付け、断面力を高めた構造も知られている。
【０００３】
さらに、側突に対する乗員保護性の向上を図るべく、サイドシルに新たな補強部材を追加することも検討されている。例えば、断面形状がコ字状のリンフォース部材（第１補強パネル）をサイドシルの内部に配置し、そのリンフォース部材の屈曲箇所を別体の補強部材（第２補強パネル）で補強することが提案されている。これにより、衝撃荷重に対するサイドシルの剛性をより高めることができる（特許文献１参照）。
【先行技術文献】
【特許文献】
【０００４】
【特許文献１】特開2006-199132号公報
【発明の概要】
【発明が解決しようとする課題】
【０００５】
しかしながら、リンフォース部材に補強部材を単に取り付けただけでは、剛性分布がアンバランスになりやすく、かえって乗員保護性が低下するおそれがある。例えば、側突方向の荷重が入力されたときに、補強部材とリンフォース部材との接合箇所に荷重が集中し、リンフォース部材の変形や破断を招く可能性がある。あるいは、リンフォース部材の内部に補強部材がめり込むように変形してしまい、衝撃を吸収するのに十分なストロークや時間を確保できなくなる可能性もある。これらの場合、補強部材に作用した荷重を十分に分散させることができず、乗員保護性が低下しうる。
【０００６】
また、例えば特許文献１に記載されたような補強構造では、補強部材（第２補強パネル）に作用した荷重がリンフォース部材（第１補強パネル）へと伝達される前に、補強部材自体が変形しうる。これにより、側突方向の荷重がリンフォース部材に対して直接的に入力されやすくなり、補強部材による補強効果が低下して乗員保護性が低下するおそれがある。
【０００７】
本件は、上記のような課題に鑑み創案されたものであり、車両の側突荷重に対する乗員保護性を向上させたサイドシル補強構造を提供することを目的の一つとする。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００８】
（１）ここで開示するサイドシル補強構造は、インナ部材とアウタ部材とを重ね合わせて形成された閉断面を有し、車両のドア開口の下枠をなすサイドシルの補強構造である。本補強構造は、車両外側に突出するハット型の断面を有し、両端のフランジ部を前記インナ部材と前記アウタ部材との間に挟装されて前記閉断面の内部に配置されたリンフォース部材を備える。また、前記ハット型の断面における側面及び底面に固定されて前記リンフォース部材を補強するサポート部材を備える。前記サポート部材は、前記底面に固定され、前記底面の延長面に沿って前記側面よりも車両外側まで延設された下面部を有する。
なお、前記延長面とは、前記底面を車両外側方向に延長した仮想の平面を意味し、いわゆる「延長線」を平面に拡張したものである。
【０００９】
加えて、前記下面部と前記底面との重合幅は、前記底面の車幅方向寸法の半分以上である。
前記重合幅は、前記車幅方向寸法と同一寸法でもよい。つまり、前記下面部が前記フランジ部に当接する長さであってもよい。したがって、前記重合幅は、前記底面の車幅方向寸法の50〜100％の寸法であることが好ましい。なお、前記重合幅が長いほど、前記サポート部材の重量が大きくなるため、所望の重量に応じて前記重合幅を設定してもよい。
【００１０】
さらに、前記下面部は、車幅方向に延設されたリブを有する。前記リブは、前記下面部の車内側端辺まで延びる。なお、前記リブが側面視で複数箇所に設けられ、前記下面部が波形に形成されることが好ましい。
（２）前記サポート部材が、前記車両のピラーと前記サイドシルとの接合箇所を避けた位置に配置されることが好ましい。例えば、前記サポート部材の後端が、前記ピラーに取り付けられる側突検知用の衝撃センサよりも前方に配置されることが好ましい。
【００１１】
（３）前記サポート部材が、車両外側ほど上下寸法が狭まる台形状の閉断面を、前記側面との間に形成することが好ましい。
（４）前記側面が、前後方向に延設された第二リブを有することが好ましい。
【発明の効果】
【００１２】
開示のサイドシル補強構造によれば、サポート部材の下面部をリンフォース部材の底面の延長面に沿って配置することで、サポート部材に入力された衝撃をリンフォース部材やインナ部材へと効率よく伝達することができる。これにより、車両の側突方向の荷重に対する断面力を増大させることができ、乗員保護性能を向上させることができる。
【００１３】
また、サポート部材の下面部がリンフォース部材の底面に沿った形状であることから、側突荷重によってハット型のリンフォース部材が変形したときに、下面部の先端をリンフォース部材のフランジ部に突き当てることができる。これにより、サポート部材に入力された衝撃をリンフォース部材やインナ部材，アウタ部材へと分散させることができ、乗員保護性能を向上させることができる。さらに、リブを下面部の車内側端辺まで延ばすことで、サイドシルの変形時に下面部の先端をリンフォース部材のフランジ部に当接しやすくすることができ、乗員保護性能をより向上させることができる。
【図面の簡単な説明】
【００１４】
【図１】実施例としてのサイドシル補強構造が適用された車両を示す図である。
【図２】ピラー及びサイドシルの分解斜視図である。
【図３】サイドシル補強構造を車両外側上方から見た斜視図である。
【図４】サイドシル補強構造を車両外側下方から見た斜視図である。
【図５】（Ａ）は図３のＡ−Ａ断面図、（Ｂ）は図３のＢ−Ｂ断面図である。
【図６】側突時の変形状態を例示するサイドシルの断面図である。
【発明を実施するための形態】
【００１５】
図面を参照して、実施形態としてのサイドシル補強構造について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１６】
［１．構成］
本実施形態のサイドシル補強構造は、図１に示す車両１０のモノコック車体構造におけるサイドシル９に適用される。サイドシル９は、車両１０のドア開口７の下枠をなす構造体であり、車室床面の左右両端辺に沿って車両前後方向に延設される。サイドシル９の断面は閉断面形状であり、ハット型断面のインナ部材４（サイドシルインナ）とアウタパネル１（サイドパネルアウタ，アウタ部材）とを重ね合わせた中空筒状に形成される。
【００１７】
サイドシル９には、フロントピラー１４（Ａピラー），センターピラー１１（Ｂピラー），リアピラー１５（Ｃピラー）の各々の下端部が結合される。一方、ピラー１１，１４，１５の上端部は、ルーフサイドレール１３に結合される。これらにより、車両１０のドア開口７の周囲には、サイドシル９，ルーフサイドレール１３，フロントピラー１４及びリアピラー１５で四方を囲まれた環状の側面骨格構造が形成され、その内側にセンターピラー１１が縦方向に配置される。本実施形態では、フロントピラー１４とセンターピラー１１との間のサイドシル９を補強するサイドシル補強構造を説明する。
【００１８】
図２は、センターピラー１１及びサイドシル９の構造を模式的に示す分解斜視図である。センターピラー１１及びサイドシル９は、ともに車両１０の外装パネルであるアウタパネル１の車両内側（車幅方向の内側）に設けられる。アウタパネル１には、水平断面形状が車両外側に向かって膨出した形状のピラー部１Ａと、縦断面形状が車両外側に向かって膨出した形状のシル部１Ｂとが設けられる。ピラー部１Ａは、センターピラー１１の外装パネルであって、車両側面で上下方向に延設される。また、シル部１Ｂは、サイドシル９の外装パネルであって、ピラー部１Ａの下端において車両前後方向（水平方向）に延設される。以下、シル部１Ｂのことをアウタ部材１Ｂとも呼ぶ。
【００１９】
ピラー部１Ａの内側には、ピラーインナ部材２とピラーリンフォース部材３とが配置される。これらの水平断面形状は、例えばピラーインナ部材２が車両内側に突出したハット型であり、ピラーリンフォース部材３が車両外側に突出したハット型である。すなわち、コ字状断面の溝部材における両端辺からフランジ面を延出させた形状である。これらのフランジ面を重ね合わせて固定することで、上下方向に延びる中空の閉断面骨格が形成される。
【００２０】
また、ピラー部１Ａの車両前後方向の両端辺となるフランジ面も、ピラーリンフォース部材３のフランジ面に重ね合わされて固定される。これにより、センターピラー１１の内部には、ピラーインナ部材２とアウタパネル１のピラー部１Ａとで囲まれた閉断面構造も形成される。つまり、センターピラー１１の内部には、二重の閉断面構造が形成される。
【００２１】
同様に、サイドシル９の内部にも二重の閉断面構造が形成される。すなわち、アウタ部材１Ｂの内部には、インナ部材４とリンフォース部材５（サイドシルリンフォース）とが配置される。これらの垂直断面形状は、例えばインナ部材４が車両内側に突出したハット型であり、リンフォース部材５が車両外側に突出したハット型である。これらのフランジ面を重ね合わせて固定することで、車両前後方向に延びる中空の閉断面骨格が形成される。
【００２２】
また、アウタ部材１Ｂの上下方向の両端辺となるフランジ面は、リンフォース部材５のフランジ面に重ね合わされて固定される。したがって、サイドシル９は、インナ部材４とアウタ部材１Ｂとを重ね合わせて形成された閉断面を有する。また、リンフォース部材５は、インナ部材４とアウタ部材１Ｂとの間に挟装されて、閉断面の内部に配置される。
【００２３】
ピラーインナ部材２には、車体に入力された衝撃や加速度の大きさを検出する衝撃センサ１２が取り付けられる。本実施形態では、ピラーインナ部材２とピラーリンフォース部材３とで挟まれた空間内に、衝撃センサ１２が取りつけられている。衝撃センサ１２で検出された情報は、車両１０の乗員保護制御に用いられる。例えば、車載エアバッグ装置やシートベルトのオートテンショナ等を作動させるための条件が、衝撃センサ１２の検出情報に基づいて判定される。
【００２４】
本実施形態では、フロントピラー１４とセンターピラー１１との間のサイドシル９に対して、リンフォース部材５を補強するためのサポート部材６が設けられる。サポート部材６は、フロントピラー１４及びセンターピラー１１とサイドシル９との接合箇所を避けた位置に配置され、図１中に破線で示すように、フロントピラー１４よりも後方かつセンターピラー１１よりも前方の部分に取り付けられる。また、サポート部材６の後端は、衝撃センサ１２よりも車両前方となる位置に設定される。
【００２５】
図３，図４は、リンフォース部材５とサポート部材６との接合箇所の構造を模式的に示す斜視図である。これらの図中では、接合箇所を明示すべく、サイドシル９（インナ部材４，リンフォース部材５）及びサポート部材６を車両前後方向の適当な位置で切断した状態を示す。また、図５（Ａ）は図３のＡ−Ａ断面図であり、図５（Ｂ）は図３のＢ−Ｂ断面図である。
【００２６】
リンフォース部材５には、フランジ部５Ａ，側面５Ｂ，底面５Ｃ，上面５Ｄが設けられる。フランジ部５Ａは、ハット型断面における鍔部分であり、リンフォース部材５の上下端部に相当する平面状の部位である。これらのフランジ部５Ａは、インナ部材４のフランジ部４Ａに重ね合わされて固定される。フランジ部５Ａの表面の向きは、法線が車両外側に向かうように設定される。
【００２７】
側面５Ｂは、ハット型断面のうち車両外側で縦方向に配置された面である。側面５Ｂには、図３に示すように、ピラーリンフォース部材３の下端部が固定されるとともに、後述するサポート部材６の固定面部６Ｄが固定される。側面５Ｂの表面の向きは、法線が車両外側に向かうように設定される。また、この側面５Ｂには、車両前後方向に延設された溝状のリンフォースリブ５Ｅ（第二リブ）が形成される。リンフォースリブ５Ｅは、車両前後方向の荷重に対する剛性を高めるためのものであり、例えば側面５Ｂを折り曲げて形成される。リンフォースリブ５Ｅの断面形状は、インナ部材４とリンフォース部材５とで囲まれた閉断面の内側に向かって凹んだ形状とされる。
【００２８】
底面５Ｃ，上面５Ｄは、側面５Ｂの上下両端辺とフランジ部５Ａとを接続する平面状の部位である。底面５Ｃの向きは、図５（Ａ），（Ｂ）に示すように、車両外側に向かって上り勾配とされ、上面５Ｄの向きは、車両外側に向かって下り勾配とされる。ここで、底面５Ｃの車幅方向寸法（底面５Ｃの傾斜に沿った幅寸法）をＬとする。また、底面５Ｃには、後述するサポート部材６の下面部６Ａが固定される。
【００２９】
サポート部材６は、リンフォース部材５の車両外側に新たなボックス型断面を追加するものであり、コ字状断面における上方の端辺のみからフランジ部を上方に向かって延出させた形状を有する。図３，図４，図５（Ａ），（Ｂ）に示すように、サポート部材６には、下面部６Ａ，立面部６Ｂ，接続面部６Ｃ，固定面部６Ｄが設けられる。なお、サポート部材６の形状は、三つの平面をクランク状に接続し、その下端辺に一つの平面を接続した形状に準えることができる。立面部６Ｂ，接続面部６Ｃ，固定面部６Ｄがクランク状の部位となり、下面部６Ａがその下に接続される平面の部位となる。
【００３０】
下面部６Ａは、リンフォース部材５の底面５Ｃに固定される平面状の部位である。この下面部６Ａは、底面５Ｃの延長面に沿って、側面５Ｂよりも車両外側まで延設される。ここでいう延長面とは、底面５Ｃを車両外側方向に延長した仮想の平面を意味し、いわゆる「延長線」を平面に拡張したものである。下面部６Ａの向きは、図５（Ａ），（Ｂ）に示すように、車両外側に向かって上り勾配とされる。
【００３１】
また、図４に示すように、下面部６Ａには、車幅方向に延設された複数のリブ６Ｅが形成されて、波板状とされる。これらのリブ６Ｅは、車両前後方向に間隔を空けて配置される。リブ６Ｅとリブ６Ｅとの間の平面状の部位が、リンフォース部材５の底面５Ｃに面接触して固定される部位となる。また、リブ６Ｅは下面部６Ａにおける車両内側の端辺まで達する長さに形成される。したがって、下面部６Ａの端辺は上下方向に波打つような形状である。
【００３２】
リブ６Ｅは三つの機能を持つ。第一の機能は、車幅方向の荷重に対する剛性を高める機能である。これにより、側突に対するサポート部材６の剛性が確保される。第二の機能は、下面部６Ａの端辺の厚みを変更することなく、下面部６Ａと接触する部分の面積を増大させる機能である。すなわち、下面部６Ａの端辺を上下方向にうねらせることで、サイドシル９の変形時に下面部６Ａの先端がリンフォース部材５のフランジ部５Ａに当接しやすくなる。第三の機能は、電着塗装ラインにおける施工性を向上させる機能である。これにより、リンフォース部材５とサポート部材６との間に形成される閉断面内部に電着液が回り込みやすくなり、塗膜の施工品質が向上する。
【００３３】
図５（Ａ），（Ｂ）に示すように、下面部６Ａと底面５Ｃとの重合幅Ｍは、底面５Ｃの車幅方向寸法Ｌの半分以上に設定される。すなわち、重合幅Ｍと車幅方向寸法Ｌとの関係は、0.5Ｌ≦Ｍ≦Ｌである。重合幅Ｍを車幅方向寸法Ｌの半分以上に設定することで、下面部６Ａの先端がフランジ部５Ａに比較的近接した位置に配置され、サイドシル９が変形した場合にこれらが当接しやすくなる。これにより、車幅方向の荷重がサポート部材６からインナ部材４やリンフォース部材５へと伝達されやすくなり、荷重分散性が向上する。
【００３４】
なお、Ｍ＝Ｌとした場合には、サイドシル９が変形する前から下面部６Ａの先端がフランジ部５Ａに当接した状態となり、良好な荷重分散性が期待できる。しかし、重合幅Ｍを大きくするに連れて、サポート部材６の重量が大きくなってしまう。したがって、所望の重量に応じて、重合幅Ｍを車幅方向寸法Ｌの50〜100％の範囲内で設定することが好ましい。
【００３５】
立面部６Ｂは、下面部６Ａにおける車両外側の端辺から上方に向けて延設された平面状の部位である。この立面部６Ｂは、リンフォース部材５の側面５Ｂに対して車幅方向に間隔を空けて配置される。立面部６Ｂの向きは，図５（Ａ），（Ｂ）に示すように、側面５Ｂの表面に対してほぼ平行とされる。本実施形態の立面部６Ｂは、アウタ部材１Ｂに対しても車幅方向に間隔を空けて配置され、アウタ部材１Ｂの表面に対してほぼ平行に配置される。
【００３６】
接続面部６Ｃは、立面部６Ｂの上端辺からリンフォース部材５の側面５Ｂに向けて延設された斜面状の部位である。接続面部６Ｃは、側面５Ｂ上に形成されたリンフォースリブ５Ｅよりも上部に向かって配設される。接続面部６Ｃの向きは、図５（Ａ），（Ｂ）に示すように、車両外側に向かって下り勾配とされる。また、固定面部６Ｄは、リンフォース部材５の側面５Ｂに面接触して固定される平面状の部位である。この固定面部６Ｄは、接続面部６Ｃの車両内側端辺から側面５Ｂに沿って、上方に向けて延設される。
【００３７】
図５（Ａ），（Ｂ）に示すように、サポート部材６の下面部６Ａは、車両外側に向かって上り勾配の傾斜面である。一方、接続面部６Ｃは、車両外側に向かって下り勾配の傾斜面である。したがって、サポート部材６は、車両外側ほど上下寸法が狭まる台形状のボックス閉断面を、リンフォース部材５の側面５Ｂとの間に形成する。
また、この閉断面で囲まれた部分の内側には、側面５Ｂに形成されたリンフォースリブ５Ｅが配置される。これにより、この閉断面の断面力が増大し、車幅方向から入力される荷重に対する剛性が向上する。
【００３８】
［２．作用，効果］
（１）上記のサイドシル補強構造では、サポート部材６の下面部６Ａがリンフォース部材５の底面５Ｃの延長面に沿って、側面５Ｂよりも車両外側まで延設される。このような構造にすることで、例えば車両１０の側突時であっても、下面部６Ａが車幅方向に圧縮変形しにくくなり、あるいは車幅方向に折れ曲がりにくくなる。したがって、立面部６Ｂへの荷重の入力をリンフォース部材５に対して効率よく伝達することができ、車両１０の側突方向の荷重に対する断面力を増大させることができる。
【００３９】
また、下面部６Ａが底面５Ｃに沿った形状であることから、側突荷重によってサイドシル９が変形したときに、下面部６Ａの先端をフランジ部５Ａに突き当てやすくすることができる。例えば、図６に示すように、リンフォース部材５のフランジ部５Ａと底面５Ｃとの接合箇所が変形し、下面部６Ａの端辺がフランジ部５Ａに当接する。これにより、サポート部材６に入力された荷重をリンフォース部材５やインナ部材４，フロアパネル８へと分散させて変位を吸収することができ、乗員保護性能を向上させることができる。
【００４０】
（２）上記のサイドシル補強構造では、下面部６Ａと底面５Ｃとの重合幅Ｍが、底面５Ｃの車幅方向寸法Ｌの半分以上に設定される。これにより、下面部６Ａの先端がフランジ部５Ａの近傍に配置されることになり、下面部６Ａの先端をフランジ部５Ａに突き当てやすくすることができ、乗員保護性能を向上させることができる。また、重合幅Ｍを比較的大きく設定することで、固定部分の長さや面積，固定箇所数等を増加させやすくすることができ、リンフォース部材５とサポート部材６との固定強度を高めることができる。
【００４１】
（３）上記のサイドシル補強構造では、図４に示すように、下面部６Ａにリブ６Ｅが形成される。リブ６Ｅを設けることで、下面部６Ａの端辺が上下方向に波打つような形状となり、サイドシル９の変形時に下面部６Ａの先端がリンフォース部材５のフランジ部５Ａに当接しやすくなる。したがって、下面部６Ａの先端をフランジ部５Ａに突き当てやすくすることができ、乗員保護性能を向上させることができる。また、リブ６Ｅ自体の形状がサポート部材６の剛性を高めるように作用するため、乗員保護性能を向上させることができる。さらに、リブ６Ｅを形成することで、電着液の回り込み性を改善することができ、塗膜の施工品質を向上させることができる。
【００４２】
（４）上記のサイドシル補強構造では、図１に示すように、サポート部材６がピラー１１，１４とサイドシル９との接合箇所を避けた位置に配置される。これにより、接合箇所の変形による衝撃吸収性能を高めることができる。つまり、サポート部材６によってピラー１１，１４の基端部が硬くなりすぎることを防ぐことができ、乗員保護性能を向上させることができる。
また、ピラー１１，１４に衝撃センサ１２が取り付けられた車両１０においては、サポート部材６に入力された衝撃をピラー１１，１４に対して迅速に入力することができるようになり、衝撃センサ１２の感度を高めることができる。
【００４３】
（５）上記のサイドシル補強構造では、図５（Ａ），（Ｂ）に示すように、リンフォース部材５とサポート部材６との間に台形状の閉断面が形成される。これにより、車両前後方向の荷重に対する断面力を高めることができるとともに、車幅方向の荷重に対して変形しにくくすることができる。したがって、前後突及び側突の何れに対しても、乗員保護性能を向上させることができる。
【００４４】
（６）上記のサイドシル補強構造では、図３に示すように、リンフォース部材５の側面５Ｂにリンフォースリブ５Ｅが形成される。これにより、車両前後方向の荷重に対する剛性を高めることができる。また、このリンフォースリブ５Ｅは、リンフォース部材５とサポート部材６との間に形成される閉断面の内部に配置されるため、この閉断面の断面力を向上させることも可能となり、乗員保護性能をさらに向上させることができる。
【００４５】
［３．変形例］
上述した実施形態に関わらず、それらの趣旨を逸脱しない範囲で種々変形して実施することができる。本実施形態の各構成は、必要に応じて取捨選択することができ、あるいは適宜組み合わせてもよい。
【００４６】
上述の実施形態におけるリンフォース部材５とサポート部材６との固定手法には、公知の様々な手法を採用することができる。例えば、スポット溶接やレーザー溶接で固定してもよいし、ボルト，ナット等の締結具を用いて締結固定してもよい。
また、上述の実施形態では、フロントピラー１４とセンターピラー１１との間のサイドシル９にサポート部材６を固定した構造を例示したが、補強対象部位はこれに限定されず、例えばセンターピラー１１とリアピラー１５との間のサイドシル９を補強してもよい。
【符号の説明】
【００４７】
１  アウタパネル
１Ａ  ピラー部
１Ｂ  アウタ部材（シル部）
４  インナ部材（サイドシルインナ）
５  リンフォース部材（サイドシルリンフォース）
５Ａ  フランジ部
５Ｂ  側面
５Ｃ  底面
５Ｄ  上面
５Ｅ  リンフォースリブ（第二リブ）
６  サポート部材
６Ａ  下面部
６Ｂ  立面部
６Ｃ  接続面部
６Ｄ  固定面部
６Ｅ  リブ
【図１】
0006439401.tif 000002
【図２】
0006439401.tif 000003
【図３】
0006439401.tif 000004
【図４】
0006439401.tif 000005
【図５】
0006439401.tif 000006
【図６】
0006439401.tif 000007